(57)【要約】【課題】誤接触により生じたタッチパッドへの長押しによる所定の処理が行われる可能性を低減することが可能な携帯電話機等の携帯通信端末を提供する。【解決手段】本発明に係る携帯通信端末は、接触が検出されると、当該接触の度合いを示す値を出力するタッチパッドを備え、そのタッチパッドから出力された接触の度合いを表す値に基づいて、実行すべき処理が割り当てられた範囲として１つの選択範囲を選択し、その選択が行われてから、その選択範囲への接触がその選択から一定時間継続したことを要件として含む所定条件が成立するまでに、そのタッチパッド上で接触されている範囲の数が既定数以上になったことを検出しなかった場合には、その選択範囲に対応する所定の処理を実行し、検出した場合には、その所定の処理を実行しない。【選択図】図４
2011107785.tif 000002
【特許請求の範囲】
【請求項１】
接触が検出されると、当該接触の度合いを示す値を出力するタッチパッドと、
前記タッチパッドから出力された接触の度合いを表す値に基づいて、実行すべき処理が割り当てられた範囲として、１つの選択範囲を選択する選択部と、
前記選択部による選択が行われてから、前記選択範囲への接触が当該選択から一定時間継続したことを要件として含む所定条件が成立するまでに、前記タッチパッド上で接触されている範囲の数が既定数以上になったことを検出する第１検出部と、
前記第１検出部による検出がなされなかった場合には、前記選択部が選択した前記選択範囲に対応する所定の処理を実行し、前記第１検出部による検出がなされた場合には、前記所定の処理を実行しない実行制御部とを備える
ことを特徴とする携帯通信端末。
【請求項２】
前記実行制御部は、
前記第１検出部による検出がなされた場合には、前記選択部が選択した前記選択範囲に対応する表示処理を実行する
ことを特徴とする請求項１記載の携帯通信端末。
【請求項３】
前記携帯通信端末は、更に
実行すべき処理が割り当てられている範囲を決定するための第１閾値と、第１閾値より小さい第２閾値とを保持する保持部を備え、
前記選択部は、前記タッチパッドから出力された接触の度合いを示す値に基づいて、当該タッチパッド上で接触が検出された範囲毎に、当該範囲の接触の度合いを示す値を算出し、当該タッチパッド上で接触が検出された範囲の中から、算出した値が、第１閾値以上である範囲を、前記選択範囲として選択し、
前記第１検出部は、前記タッチパッド上で接触が検出された範囲のうち、前記選択部により算出された値が第２閾値以上である範囲の数が、既定数以上になった場合にのみ、前記検出を行う
ことを特徴とする請求項２記載の携帯通信端末。
【請求項４】
前記携帯通信端末は、更に、
前記選択部による選択が行われてから、前記所定条件が成立するまでに、前記タッチパッド上で接触が検出された範囲のうち、前記選択部により算出された値が第２閾値以上である、相互に隣接しない２つの範囲が存在したことを検出する第２検出部を備え、
前記実行制御部は、
前記第２検出部による検出がなされなかった場合にのみ、前記選択範囲に対応する前記所定の処理を実行する
ことを特徴とする請求項３記載の携帯通信端末。
【請求項５】
前記所定条件は、前記選択範囲への接触が離されたことを要件として含む
ことを特徴とする請求項４記載の携帯通信端末。
【請求項６】
前記所定の処理は、発呼処理である
ことを特徴とする請求項１記載の携帯通信端末。
【請求項７】
接触が検出されると、当該接触の度合いを示す値を出力するタッチパッドを備える携帯通信端末で用いられる入力制御プログラムであって、
前記タッチパッドから出力された接触の度合いを表す値に基づいて、実行すべき処理が割り当てられた範囲として、１つの選択範囲を選択する選択ステップと、
前記選択ステップで選択が行われてから、前記選択範囲への接触が当該選択から一定時間継続したことを要件として含む所定条件が成立するまでに、前記タッチパッド上で接触されている範囲の数が既定数以上になったことを検出する第１検出ステップと、
前記第１検出ステップで検出がなされなかった場合には、前記選択ステップで選択した前記選択範囲に対応する所定の処理を実行し、前記第１検出ステップで検出がなされた場合には、前記所定の処理を実行しない実行制御ステップとを含む
ことを特徴とする入力制御プログラム。
【発明の詳細な説明】
【技術分野】
【０００１】
本発明は、タッチパッドを有する携帯電話機等の携帯通信端末に関する。
【背景技術】
【０００２】
タッチパッドによる操作が可能な携帯電話機等の携帯通信端末は、タッチパッド上の接触の度合いを示す値（例えば、静電容量を表す値）に基づいて、タッチパッド上の接触範囲を検出し、その接触範囲に割り当てられている処理を実行する。
従って、例えば、鞄の中に入れておいた携帯通信端末のタッチパッドに、その鞄の中の他の物が接触してしまった場合等（以下、「誤接触」という）に、ユーザが意図しない処理が実行されてしまう（以下、「誤動作」という）という問題が生じ得る。
【０００３】
この問題に対しては、タッチパッド上での接触範囲が、既定の面積値を超えるか否かを判定し、既定の面積値を超える場合には、この接触に基づく処理を行わないよう制御する方法が知られている（例えば、特許文献１）。
これにより、例えば、上述の既定の面積値として、ユーザの指等を接触させた場合の面積値と、指等以外を接触させた場合の面積値との境界となる面積値を設定しておくことで、指等以外が誤って接触してしまった場合にも、誤動作が発生する可能性を低減できる。
【０００４】
ところで、携帯電話機等の携帯通信端末の機能として、操作に用いるキーを一定時間以上押す（以下、「長押し」という）ことで、所定の処理を行う機能が知られている。このような所定の機能の一例として、そのキーに予め対応付けていた電話番号に自動的に発呼する機能（以下、「スピードダイヤル機能」ともいう）が知られている。
通常、ユーザが電話をかけるためには、アドレス帳や発着信履歴から相手を選択し、あるいは、電話番号を入力して、オフフック操作を行う必要があるところ、スピードダイヤル機能によれば、キーを長押しするという簡単な操作で特定の相手に電話をかけることが可能になる。
【０００５】
ここで、キー入力時の複数キーの押下（以下、「複数キー押し」という）や長押しを適切に処理するキー入力の制御方法が、特許文献２に開示されている。この特許文献２に開示されたキー入力の制御方法は、キーの長押しと複数キー押しとを検知し、更に複数キー押しが有効なキーか否かを検知し、複数キー押しが有効なキーと検知したならば、有効処理に伴い優先入力されるべきキーの単一の長押しとして処理する構成としている。
【先行技術文献】
【特許文献】
【０００６】
【特許文献１】特開２００４−１２６７５２号公報
【特許文献２】特開２００１−１３４３６５号公報
【発明の概要】
【発明が解決しようとする課題】
【０００７】
長押しにより処理される所定の機能を、タッチパッドによる操作が可能な携帯通信端末に組み込む場合、上述のような誤接触により、タッチパッド上のキーが長押しされ、意図しない所定の機能が処理されてしまう恐れがある。例えば、前述のスピードダイヤル機能の場合には、上述のような誤接触により、タッチパッド上のキーが長押しされ、意図しない相手に発呼してしまうおそれがある。
【０００８】
そこで、本発明は係る問題に鑑みてなされたものであり、誤接触により生じたタッチパッドへの長押しによって所定の処理が行われる可能性を低減することが可能な携帯電話機等の携帯通信端末を提供することを目的とする。
【課題を解決するための手段】
【０００９】
上記課題を解決するために、本発明に係る携帯通信端末は、接触が検出されると、当該接触の度合いを示す値を出力するタッチパッドと、前記タッチパッドから出力された接触の度合いを表す値に基づいて、実行すべき処理が割り当てられた範囲として、１つの選択範囲を選択する選択部と、前記選択部による選択が行われてから、前記選択範囲への接触が当該選択から一定時間継続したことを要件として含む所定条件が成立するまでに、前記タッチパッド上で接触されている範囲の数が既定数以上になったことを検出する第１検出部と、前記第１検出部による検出がなされなかった場合には、前記選択部が選択した前記選択範囲に対応する所定の処理を実行し、前記第１検出部による検出がなされた場合には、前記所定の処理を実行しない実行制御部とを備えることを特徴とする。
【００１０】
ここで、接触とは、ユーザの指、顔等の身体やタッチペン等がタッチパッドに接触した状態をいう他、特に静電容量方式のタッチパッドにおいては、ユーザの指、顔等の身体やタッチペン等、タッチパッドの静電容量を変化させるものが、予め定めた変化量以上にタッチパッドの静電容量を変化させるまでタッチパッドに近接した状態を含む。
【発明の効果】
【００１１】
上記構成を備える本発明に係る携帯通信端末によれば、誤接触により生じたタッチパッドへの長押しによって所定の処理が行われる可能性を低減することが可能である。
【図面の簡単な説明】
【００１２】
【図１】実施の形態１に係る携帯電話機１００の閉じられた状態の外観を示す斜視図である。
【図２】実施の形態１に係る携帯電話機１００の開かれた状態の外観を示す斜視図である。
【図３】実施の形態１に係る携帯電話機１００の閉じられた状態の外観を示す正面図である。
【図４】携帯電話機１００の主要部の機能構成を示すブロック図である。
【図５】携帯電話機１００が記憶するアドレス帳１０のデータ構成及び内容例を示す図である。
【図６】算出部１１１が算出するキー接触値の変化を説明するための図である。
【図７】タッチパッド１０２からの入力に対する携帯電話機１００の制御処理を示すフローチャートである。
【図８】携帯電話機１００における対象キーの対応処理（図７のステップＳ２０）を示すフローチャートである。
【図９】タッチパッド１０２への接触に対する携帯電話機１００の動作例を示す図である。
【図１０】第１変形携帯電話機における対象キーの対応処理を示すフローチャートである。
【図１１】第２変形携帯電話機における対象キーの対応処理を示すフローチャートである。
【図１２】タッチパッド１０２からの入力に対する第３変形携帯電話機の制御処理を示すフローチャートである。
【図１３】第３変形携帯電話機における対象キーの対応処理（図１２のステップＳ８０）を示すフローチャートである。
【発明を実施するための形態】
【００１３】
以下、本発明に係る携帯通信端末の実施の形態としての携帯電話機について説明する。
≪実施の形態１≫
＜外観＞
図１は、実施の形態１に係る携帯電話機１００の閉じられた状態の外観を示す斜視図であり、図２は、実施の形態１に係る携帯電話機１００の開かれた状態の外観を示す斜視図であり、図３は、実施の形態１に係る携帯電話機１００の閉じられた状態の外観を示す正面図である。
【００１４】
図１及び図２に示されるように、携帯電話機１００は、横開きタイプの折りたたみ式携帯電話機であり、入力キー３を備える筐体１と、情報の表示画面となるＬＣＤ（Liquid Crystal Display）４を備える筐体２とが互いに開閉可能な構成となっている。
図１では、図示を省略しているが、図３に示すように、携帯電話機１００は、閉じられた状態で外部に露出する筐体２の表面に、サブＬＣＤ１０１と、タッチパッド１０２を備える。
【００１５】
タッチパッド１０２には、各種キーを示すマークが視認可能に配置されており、ユーザは、マークがある位置に指等を接触させることにより、そのマークが示すキーに割り当てられた処理を携帯電話機１００に行わせることができる。
なお、同図の一点鎖線は、説明上、各キーの範囲（例えば、５ｍｍ×１０ｍｍ程度）を示すために記載したものであり、実際には視認できるものではない。また、以下では、例えば、「１」のマークが示すキーを「１キー」と表現し、他のマークが示すキーについても同様に表現する。
【００１６】
また、同図に示すキーの種類及びキーの並び順は一例であり、適宜変更することができる。
また、本実施の形態において、接触とは、ユーザの指、顔等の身体やタッチペン等がタッチパッドに接触した状態をいう他、ユーザの指、顔等の身体やタッチペン等、タッチパッド１０２の静電容量を変化させるものが、後述するキー接触値（図６参照）がＧＮＤレベル以上になるまでタッチパッドに近接した状態を含む。
【００１７】
また、以下の説明では、ユーザが指等をタッチパッド１０２に接触させ、タッチパッド１０２上のキーを選択することを、キーを押すともいう。
また、以下の説明では、携帯電話機１００は、０キー〜９キーまでの数字キーそれぞれが、短く押された（以下、「短押し」という）場合と、一定時間以上押された長押しの場合とで異なる処理を実行するものとし、特に、予めユーザにより電話番号が割り当てられている数字キーが長押しされた場合には、その電話番号への発呼処理を実行するものとする。なお、数字キーへの電話番号の割り当ての仕方については、後述する。
【００１８】
＜構成＞
図４は、携帯電話機１００の主要部の機能構成を示すブロック図である。
携帯電話機１００は、同図に示すように、サブＬＣＤ１０１、タッチパッド１０２、計時部１０３、記憶部１０４、スピーカ１０５、マイク１０６、バイブレータ１０７、通信部１０８、制御部１１０、及びアプリケーション実行部１２０を備える。
【００１９】
なお、携帯電話機１００は、プロセッサ及びメモリを含んで構成されており、制御部１１０及びアプリケーション実行部１２０の各機能は、上述のメモリに記憶されているプログラムを上述のプロセッサが実行することにより実現され、このメモリには、後述する各種閾値も記憶されているものとする。
ここで、サブＬＣＤ１０１は、制御部１１０からの指示を受けて文字等の画像を表示する機能を有する。
【００２０】
タッチパッド１０２は、一般的な静電容量方式のタッチセンサにより実現され、ユーザによる接触を検出し、検出している間、単位時間（例えば、２５ｍｓ）毎に、その接触位置の座標値（ｘ，ｙ）と静電容量を表すための値との組を制御部１１０に送出する回路であり、特に、複数の位置が接触されている場合には、上述の組を複数送出するものである。
【００２１】
なお、一例として、図３に点線の長方形で示すタッチパッド１０２の左上の頂点の座標値は（０，０）であるとし、右下の頂点の座標値は（１６０，２２０）であるとする。
計時部１０３は、タイマやカウンタにより実現され、制御部１１０の指示に従って、計時を開始し、長押し時間（例えば、８００ｍｓ）を経過したときに制御部１１０に通知する機能を有する。
【００２２】
ここで、長押し時間は、キーへの接触が長押しなのか否かを判定する際に用いられる閾値であり、予め携帯電話機１００のメーカ等により設定されているものとする。
記憶部１０４は、基本画面、表示状態情報、及びアドレス帳１０を記憶するためのメモリ領域である。
ここで、基本画面は、例えば、発呼中や通話中などにサブＬＣＤ１０１に表示させる画像のデータである。
【００２３】
また、表示状態情報は、サブＬＣＤ１０１に表示されている画面の状態を示す情報であり、その画面がどのように生成されたものであるかが識別可能に構成される。
例えば、図３に示すサブＬＣＤ１０１に表示されている画面の表示状態情報は、待受画面（この例では、何も表示されていない状態の画面であるものとする）に「１２３○×・・・・・・」と「＜  ｃａｌｌ  ＞」が描画された後の状態になったことを示すものである。
【００２４】
また、アドレス帳１０について、図５を用いて説明する。
図５は、アドレス帳１０のデータ構成及び内容例を示す図である。
同図に示すように、アドレス帳１０は、通信相手となる連絡先毎に、名称１１と電話番号１２とメールアドレス１３とキー１４とを対応付けたデータである。
名称１１は、電話やメールの通信相手を示す氏名等の名称であり、電話番号１２は、その通信相手が所有する電話機に割り振られた電話番号であり、メールアドレス１３は、その通信相手が所有するメールアドレスであり、キー１４は、対応する電話番号が割り当てられているタッチパッド１０２上の数字キーを示すデータである。
【００２５】
なお、キーが「−」である場合、対応する電話番号が割り当てられている数字キーが存在しないことを示している。
同図は、例えば、名称が「Ａ上Ｇ郎」である通信相手の電話番号は「１２３○×・・・・・・」で、メールアドレスは「ａ○×＠ｇｇｇｇ．ｃｏ．ｊｐ」であり、キーは「９」、つまり、電話番号「１２３○×・・・・・・」が９キーに割り当てられていることを示している。
【００２６】
なお、このキーのアドレス帳１０への登録は、ユーザが連絡先を新規に登録する際、あるいは登録済の連絡先の内容を変更する際に、他の通信相手の電話番号が割り当てられていないキーをユーザが指定することで行われるものとする。
通信部１０８は、アンテナを介して基地局との間で電波の送受信を行う回路であり、受信信号を復調し制御部１１０へ伝達する機能、及び制御部１１０から伝達された信号を変調し送信する機能を有する。
【００２７】
制御部１１０は、一般的な携帯電話機が有する機能の他、タッチパッド１０２から送出された接触位置の座標値と静電容量を表すための値との組に基づいて、押されているキーの識別情報を含むイベントをアプリケーション実行部１２０に通知するＯＳ（Operating System）として機能するものであり、算出部１１１、切替部１１２、キー決定部１１３、イベント通知部１１４、発呼処理部１１５、音声処理部１１６、及び表示制御部１１７を含む。
【００２８】
ここで、算出部１１１は、タッチパッド１０２上の各キーの配置（座標範囲）を管理しており、タッチパッド１０２から送出された、接触位置の座標値（ｘ，ｙ）と静電容量を表すための値との組に基づいて、接触されているキー毎に、０〜１０２４の範囲の値（以下、「キー接触値」という）を算出する機能を有する。
算出部１１１は、非調整状態と調整状態との２つの状態を切替部１１２からの指示に応じて切り替えて動作し、非調整状態では、接触されているキー毎に、そのキーの座標範囲における接触面積の増減に応じて０〜１０２４の範囲で増減する値を算出し、その値をそのまま上記キー接触値とし、調整状態では、接触されているキー毎に、そのキーの座標範囲における接触面積の増減に応じて０〜１０２４の範囲で増減する値の、上記単位時間（この例では２５ｍｓ）前のキー接触値に対する変化量が既定値（以下では、「３０」とする）以内となるように調整した値を上記キー接触値とする。
【００２９】
つまり、調整状態では、接触されているキー毎に、そのキーの座標範囲における接触面積の増減に応じて０〜１０２４の範囲で増減する値の、単位時間前のキー接触値に対する変化量が、既定値以下であればそのままの値を、既定値より大きい場合には、単位時間前のキー接触値に既定値を加算した値を上記キー接触値とする。
なお、接触されているキーの座標範囲における接触面積の増減に応じて０〜１０２４の範囲で増減する値としては、例えば、そのキーの座標範囲内の静電容量を表すための値の総和を０〜１０２４の範囲の値を取るようにスケール変換した値を用いることができる。
【００３０】
また、算出部１１１の状態に応じて、キー接触値がどのように変化するのかについては、後に詳細に説明する（図６参照）。
切替部１１２は、算出部１１１の状態及び算出部１１１により算出されたキー接触値に基づいて、算出部１１１の状態を切り替えさせる機能を有する。
切替部１１２は、調整状態である算出部１１１により算出されたキー接触値のいずれかがキー押し検出閾値を超えた場合に、算出部１１１の状態を非調整状態に切り替えさせ、非調整状態である算出部１１１により算出されたキー接触値の全てがリリース検出閾値未満になった場合に、算出部１１１の状態を調整状態に切り替えさせる。
【００３１】
ここで、キー押し検出閾値とは、キーが押されたか否かを判定するために用いられる閾値であり、例えば、「６３２」であるものとし、リリース検出閾値とは、キーが離されたか否かを判定するために用いられる閾値であり、例えば、「５８０」であるものとする。
なお、切替部１１２が算出部１１１の状態を切り替えるタイミングについては、後に詳細に説明する（図６参照）。
【００３２】
キー決定部１１３は、算出部１１１により算出されたキー接触値に基づいて、１つのキー（以下、「対象キー」という）を決定する機能を有する。後述するように、この対象キーに割り当てられている処理が実行されることになる。
キー決定部１１３は、算出部１１１により算出されたキー接触値が多重押し検出閾値（例えば、「５８０」であるものとする）以上であるキーが既定数以上存在する（以下、「多重押し」という）場合、及び多重押し検出閾値以上である各キーの間の位置にリリース検出閾値（５８０）以下のキーが存在する場合を除き、キー押し検出閾値（６３２）以上の最大値のキーを原則として対象キーと決定する。
【００３３】
多重押しの場合及び多重押し検出閾値以上である各キーの間の位置にリリース検出閾値（５８０）以下のキーが存在する場合を除くのは、これらが検出された場合には、ユーザの指等による通常の操作以外の理由により、タッチパッド１０２への接触が行われていると考えられるため、このようないわば異常な接触により、対象キーが決定され、誤って、対象キーに割り当てられた処理（以下、「対応処理」ともいう）が実行されてしまうことを防ぐ必要があるためである。異常な接触とは、例えば、通話中にユーザの顔等がタッチパッド１０２に接触することや、バック等の中で、そのバック等内の他の物がタッチパッド１０２に接触する場合等が挙げられる。
【００３４】
なお、多重押しであると判定するための上述の既定数としては、ユーザが指等でキーを操作した場合には同時に接触し得ないキーの数を設定する必要があり、以下の説明では、一例として、ユーザが１本の指でキーを操作した場合には、１本の指が同時に、目的のキーと、目的のキーの隣と、目的のキーの上又は下と、目的のキーの斜めとの４つまでのキーに接触し得ると想定することにより、キー接触値が多重押し検出閾値以上であるキーが５つ以上存在する場合を多重押しとする。また、キー決定部１１３は、一旦、対象キーを決定した後は、全てのキーについての算出部１１１により算出されたキー接触値がリリース検出閾値以下になるまで、次の対象キーの決定を行わないものとする。
【００３５】
イベント通知部１１４は、キー決定部１１３による対象キーの決定が行われた際に、短押しイベントをアプリケーション実行部１２０に通知する他、対象キーの決定からのその対象キーへの接触時間が長押し時間を経過したか否かに基づいて、キャンセルイベント及び長押しイベントをアプリケーション実行部１２０に通知する機能を有する。
ここで、短押しイベントとは、キーが押されたことを示すイベントであり、押されたキーとして対象キーの識別情報を含むものである。
【００３６】
また、キャンセルイベントとは、直前に通知された短押しイベントをキャンセルするイベントであり、その短押しイベントと同じ対象キーの識別情報を含むものである。
また、長押しイベントとは、キーが押されてから長押し時間を経過したことを示すイベントであり、押されたキーとして対象キーの識別情報を含むものである。
発呼処理部１１５は、アプリケーション実行部１２０からの指示に従って、対象キーに割り当てられている電話番号を記憶部１０４のアドレス帳１０から取得し、取得した電話番号へ発呼する処理を行う機能を有する。
【００３７】
音声処理部１１６は、通信部１０８を介して受信した音声信号をＤ／Ａ（Digital/Analog）変換し、スピーカ１０５から出力する機能、及びマイク１０６から入力された音声信号をＡ／Ｄ（Analog/Digital）変換し、生成した信号を通信部１０８を介して送信する機能を有する。
表示制御部１１７は、アプリケーション実行部１２０からの指示に従って、サブＬＣＤ１０１に画像等を表示させる機能、及び記憶部１０４の表示状態情報を更新する機能を有する。
【００３８】
アプリケーション実行部１２０は、制御部１１０から通知されたイベントに応じた処理を行うイベントドリブンのアプリケーションとして機能するものである。
＜キー接触値＞
ユーザの指等により接触されたキーについてのキー接触値が、算出部１１１の状態に応じてどのように変化するかを、図６を用いて説明する。
【００３９】
図６は、算出部１１１が算出するキー接触値の変化を説明するための図である。
同図に示すように、横軸は時刻を、縦軸は、ユーザの指等により接触されたある１つのキーについてのキー接触値を示しているが、キー接触値が０〜５１１までの範囲については図示を省略している。また、ＧＮＤは、ユーザの指等がキーに接触しているか否かを判定するために用いられる閾値（一例として、「５１２」）を表している。
【００４０】
なお、以下の説明において、同図に示す時刻Ｔ１〜時刻Ｔ２の時間、及び時刻Ｔ５〜時刻Ｔ７の時間は１００ｍｓであるものとし、また、時刻Ｔ１において、算出部１１１は、調整状態であるものとする。
時刻Ｔ１は、ユーザの指等により、あるキーへの接触が開始されたタイミングを示している。
【００４１】
キーへの接触が開始されることにより、そのキーについての接触面積の増減に応じて増減する値は、キー押し検出閾値を超える値となるが、調整状態である算出部１１１は、時刻Ｔ１〜Ｔ２において、単位時間（この例では２５ｍｓ）内の値の変化が既定値（この例では「３０」）以内になるように調整した値をキー接触値として算出する。従って、時刻Ｔ１〜時刻Ｔ２において、キー接触値は階段状に増加する。
【００４２】
時刻Ｔ２は、キー接触値が、キー押し検出閾値以上になったタイミングを示している。
キー接触値がキー押し検出閾値以上になったときに、切替部１１２は、算出部１１１を非調整状態に切り替えさせるため、時刻Ｔ２において、切替部１１２は、算出部１１１を非調整状態に切り替えさせる。その結果、キー接触値は、調整された値ではなくなるため、時刻Ｔ２〜Ｔ３において、キー接触値は一気に増加し、以降、時刻Ｔ５まで、キー接触値は、そのキーについての接触面積の増減に応じて変化する。
【００４３】
時刻Ｔ４は、時刻Ｔ１で開始されていた、あるキーへのユーザの指等による接触が離されたタイミングを示している。
算出部１１１は、非調整状態であるため、時刻Ｔ４〜時刻Ｔ５において、キー接触値は一気に減少する。
時刻Ｔ５は、キー接触値が、リリース検出閾値以下となったタイミングを示している。
【００４４】
キー接触値がリリース検出閾値以下になったときに、切替部１１２は、算出部１１１を調整状態に切り替えさせるため、時刻Ｔ５において、切替部１１２は、算出部１１１を調整状態に切り替えさせる。その結果、キー接触値は、単位時間（２５ｍｓ）内の値の変化が既定値（３０）以内になるように調整した値となるため、時刻Ｔ５〜時刻Ｔ６において、キー接触値は階段状に減少する。
【００４５】
上述のように算出部１１１の状態を切り替えることにより、携帯電話機１００は、意図しないキーに割り当てられた処理が誤って実行される（誤動作）可能性を低減させつつ、ユーザによるキーの連続的な操作に対する処理の応答性を向上できる。
以下、この算出部１１１の状態の切り替えによる効果について、より詳しく説明する。
キー接触値は、上述のように、タッチパッド１０２から出力される静電容量を表すための値に基づいて算出部１１１により算出されるが、この静電容量を表すための値は、通話や一般的な携帯電話機が備えるカメラの撮影等によるノイズの影響によっても変動するものである。
【００４６】
また、上述のように、キー決定部１１３は、キー押し検出閾値（６３２）以上のキーを対象キーとして決定し、この対象キーに割り当てられた処理が実行されることになることから、もしも、ノイズの影響によりキー接触値が一気にキー押し検出閾値を越えるようなことがあれば誤動作することになる。
しかしながら、キーへの接触が開始された時刻Ｔ１から、キー接触値がキー押し検出閾値に達する時刻Ｔ２までは、算出部１１１は調整状態で動作するので、キーにおける接触面積の増減に応じて増減する値の単位時間内の変化が既定値（３０）以内になるように調整した値がキー接触値とされるので、ノイズの影響によりキー接触値が一気にキー押し検出閾値を越えるようなことは生じ得ず、上述のような誤動作の発生を適切に防ぐことができる。
【００４７】
また、キー決定部１１３は、上述したように、一旦対象キーを決定した後は、全てのキーに対する接触が離されてキー接触値がリリース検出閾値以下になるまで、次の対象キーの決定を行わないところ、時刻Ｔ２〜時刻Ｔ５において、算出部１１１は、非調整状態で動作するので、時刻Ｔ４でユーザの指等がキーから離されると、キー接触値は、一気に減少して、同図では、時刻Ｔ５でリリース検出閾値と一致する。
【００４８】
例えば、同図に示すキー接触値に係るキーのみがユーザの指等により接触されていたとすると、時刻Ｔ５より後の時刻で、次の対象キーの決定が可能になる。従って、時刻Ｔ２〜時刻Ｔ５において、もし仮に、算出部１１１が、調整状態で動作するとした場合と比較し、ユーザによるキーの連続的な操作に対する処理の応答性を向上できる。
＜動作＞
＜制御処理＞
次に、上記構成を備える携帯電話機１００の動作について、図７を用いて説明する。
【００４９】
図７は、タッチパッド１０２からの入力に対する携帯電話機１００の制御処理を示すフローチャートである。
なお、同図に示す制御処理とは独立した処理として、タッチパッド１０２からは、単位時間毎（この例では２５ｍｓ毎）に検出されている接触位置の座標値（ｘ，ｙ）と静電容量を表すための値との組が出力されており、制御部１１０の算出部１１１により、単位時間毎に、接触されている各キーについてのキー接触値が算出されている。以下の説明を開始する時点で、算出部１１１は、調整状態で動作しているものとして説明する。
【００５０】
また、同図に示す制御処理は、繰り返し実行されるものとする。
同図に示すように、制御部１１０のキー決定部１１３は、算出部１１１が算出した最新の各キー接触値に基づいて、多重押し検出閾値以上であるキーの数がいくつあるかを繰り返し（この例では、１００ｍｓ毎）判定する（ステップＳ１）。
ステップＳ１において、該当のキーの数が０である場合には（ステップＳ１：０）、キー決定部１１３は、特に処理を行うことなく制御処理を終了する。
【００５１】
また、ステップＳ１において、該当のキーの数が５つ以上である場合には（ステップＳ１：５以上）、切替部１１２は、算出部１１１の状態を、非調整状態へと切り替えさせ（ステップＳ２）、後述するステップＳ１０の処理に進む。
なお、ステップＳ２で、算出部１１１の状態を、非調整状態へと切り替えさせるのは、算出部１１１の状態が調整状態である場合において、多重押しが検出されたときに、タッチパッド１０２からの接触が離された後、全てのキーのキー接触値がキー押し検出閾値未満となって、次の対象キーの決定をなるべく早く行えるようにするためである。
【００５２】
また、ステップＳ１０へ進むのは、多重押しが生じた場合、タッチパッド１０２への接触が、ユーザの指等による通常の操作によるものではないと考えられるため、後述するステップＳ２０の対応処理が実行されること（誤動作）を防ぐ必要があるためである。
また、ステップＳ１において、該当のキーの数が１つ〜４つである場合には（ステップＳ１：１以上５未満）、キー決定部１１３は、その該当のキーに含まれる２つのキーの組合せそれぞれについて、その組合せに係る２つのキーの間の位置のキー、つまり、２つのキーそれぞれと隣接するキーのキー接触値がリリース検出閾値以下であるか否かを判定する（ステップＳ３）。ユーザの指等によるタッチパッド１０２への操作が行われていれば、多重押し検出閾値以上の２つのキーそれぞれに隣接する１つのキーにもユーザの指等が接触しているのが通常であると考えられる。従って、この隣接する１つのキーがリリース検出閾値以下であるような場合には、ユーザの指等による通常の操作ではないと考えられるため、対応処理が実行されること（誤動作）を防ぐ必要があるためである。
【００５３】
なお、同行及び同列に配置されていない２つのキーについての各キー接触値が多重押し検出閾値以上である場合、例えば、キー決定部１１３は、１キー及び８キーについての各キー接触値が多重押し検出閾値以上である場合には、１キーと８キーとの間の行に配置されたキーであって、１キーの列から８キーの列までに配置されているキー（この例では、４キー及び５キー）が、１キー及び８キーに隣接するキーであるとして、上記判定を行う。
【００５４】
例えば、キー決定部１１３は、１キー、３キー、４キー、６キーについての各キー接触値が多重押し検出閾値以上である場合には、２キーと５キーとのいずれかのキー接触値がリリース検出閾値以下である場合には、肯定的な判定（ステップＳ３：ＹＥＳ）を行い、２キー及び５キーのいずれのキー接触値もリリース検出閾値より大きければ否定的な判定（ステップＳ３：ＮＯ）を行う。
【００５５】
また、キー決定部１１３は、キー接触値が多重押し検出閾値以上である２つのキーに隣接するキーが存在しない場合、例えば、１キー及び２キーについての各キー接触値が多重押し検出閾値以上である場合には、１キー及び２キーに隣接するキーは存在しないので、否定的な判定（ステップＳ３：ＮＯ）を行うこととする。
ステップＳ３でいずれかの隣接するキーのキー接触値がリリース検出閾値以下である場合には（ステップＳ３：ＹＥＳ）、切替部１１２は、算出部１１１の状態を、調整状態から非調整状態へと切り替えさせ（ステップＳ２）、後述するステップＳ１１の処理に進み、いずれの隣接するキーのキー接触値もリリース検出閾値より大きい場合には（ステップＳ３：ＮＯ）、キー決定部１１３は、ステップＳ１で検出した多重押し検出閾値以上であるキーの中に、キー接触値が、キー押し検出閾値以上であるキーが存在するか否かを判定する（ステップＳ４）。
【００５６】
キー押し検出閾値以上であるキーが存在しない場合には（ステップＳ４：ＮＯ）、再びステップＳ１から処理を開始し、キー押し検出閾値以上であるキーが存在する場合には（ステップＳ４：ＹＥＳ）、キー決定部１１３は、対象キーが決定済か否かを判定する（ステップＳ５）。
対象キーが決定済でない場合には（ステップＳ５：ＮＯ）、キー決定部１１３は、キー接触値が最大であるキーを対象キーと決定する（ステップＳ６）。なお、最大のキー接触値に係るキーが複数ある場合には、予めキーに定められている優先順位に従って対象キーを決定するが、この例では、より左上に配置されているキーを優先するものとする。例えば、最大のキー接触値に係るキーが１キーと２キーと４キーである場合には、１キーを対象キーと決定する。
【００５７】
また、キー決定部１１３は、対象キーのキー接触値から、対象キーの上のキーのキー接触値を引いた値が、既定値（この例では「５０」であるとする）以下であるか否かを判定し（ステップＳ７）、既定値より大きい場合には（ステップＳ７：ＮＯ）、特に何もせず、切替部１１２は、算出部１１１の状態を、調整状態から非調整状態へと切り替えさせ（ステップＳ９）、ステップＳ１から再び処理を開始する。
【００５８】
また、対象キーのキー接触値から、対象キーの上のキーのキー接触値を引いた値が、既定値以下の場合には（ステップＳ７：ＹＥＳ）、キー決定部１１３は、それまでの対象キー（キー接触値が最大であるキー）から、そのキーの上のキーに対象キーを変更し（ステップＳ８）、切替部１１２は、算出部１１１の状態を、調整状態から非調整状態へと切り替えさせ（ステップＳ９）、ステップＳ１から再び処理を開始する。
【００５９】
ステップＳ８の処理は、あるキーをユーザが操作しようとした場合に、例えば、指の腹が、その下のキーにも接触してしまい、この下のキーのキー接触値が最大値となってしまう場合に対応するための処理である。即ち、キー接触値が最大であるキーのそのキー接触値と、そのキーの上のキーのキー接触値との差が、既定値（この例では５０）以下である場合には、ユーザが意図したキーは、上のキーであるとして、対象キーをこの上のキーに変更するものである。
【００６０】
一方、ステップＳ５において、対象キーが決定済である場合（ステップＳ５：ＹＥＳ）には、対象キーの対応処理を行う（ステップＳ２０）。この対象キーの対応処理については後述する（図８参照）。
この対象キーの対応処理が完了すると、キー決定部１１３は、算出部１１１が算出した最新の各キー接触値に基づいて、リリース検出閾値以上であるキーの数がいくつあるかを判定する（ステップＳ１０）。
【００６１】
該当のキーの数が１つ以上である場合には（ステップＳ１０：１以上）、繰り返し（この例では、１００ｍｓ毎）ステップＳ１０の判定を行い、該当のキーの数が０である場合には（ステップＳ１０：０）、キー決定部１１３は、対象キーの決定を解除し（ステップＳ１１）、切替部１１２は、算出部１１１の状態を、非調整状態から調整状態へと切り替えさせ（ステップＳ１２）、制御処理を終了する。
【００６２】
＜対象キーの対応処理＞
続いて、ステップＳ２０の対象キーの対応処理について説明する。
図８は、携帯電話機１００における対象キーの対応処理（図７のステップＳ２０）を示すフローチャートである。
キー決定部１１３は、計時部１０３に計時を開始させ（ステップＳ２１）、イベント通知部１１４は、対象キーの識別情報を含む短押しイベントをアプリケーション実行部１２０に通知し、アプリケーション実行部１２０は、この短押しイベントに基づいて、対象キーに割り当てられている短押し処理を実行する（ステップＳ２２）。
【００６３】
なお、イベント通知部１１４が短押しイベントを通知する際に、表示制御部１１７は、現在の画面状態を示すように、記憶部１０４の表示状態情報を更新する。
また、短押し処理とは、例えば、短押しイベントに含まれる識別情報が示す対象キーの数字等をサブＬＣＤ１０１に表示させるよう、表示制御部１１７に指示する処理である。この対象キーの数字等とは、対象キーに割り当てられている数字や記号のことであり、例えば、１キーであれば「１」であり、＊キーであれば「＊」である。
【００６４】
この指示を受けた表示制御部１１７は、サブＬＣＤ１０１に、対象キーの数字等を表示させ、この対象キーの数字等を表示させた後の画面を示すように、表示状態情報を更新する。
続いて、キー決定部１１３は、上述のステップＳ１と同様に、算出部１１１が算出した最新の各キー接触値に基づいて、多重押し検出閾値以上であるキーの数がいくつあるかを判定する（ステップＳ２３）。
【００６５】
ステップＳ２３において、該当のキーの数が１つ〜４つである場合には（ステップＳ２３：１以上５未満）、キー決定部１１３は、上述のステップＳ３と同様に、その該当のキーに含まれる２つのキーの組合せそれぞれについて、その組合せに係る２つのキーそれぞれと隣接するキーのキー接触値がリリース検出閾値以下であるか否かを判定する（ステップＳ２４）。
【００６６】
ステップＳ２４で、いずれの隣接するキーのキー接触値もリリース検出閾値より大きい場合には（ステップＳ２４：ＮＯ）、キー決定部１１３は、長押し時間を経過したか否かを判定する（ステップＳ２５）。具体的には、キー決定部１１３は、計時部１０３から長押し時間を経過した旨の通知がなされた場合には、肯定的な判定を行う（ステップＳ２５：ＹＥＳ）。
【００６７】
長押し時間を経過した場合には（ステップＳ２５：ＹＥＳ）、イベント通知部１１４は、対象キーの識別情報を含むキャンセルイベントをアプリケーション実行部１２０に通知し、アプリケーション実行部１２０は、このキャンセルイベントに基づいて、対象キーに割り当てられている短押し処理のキャンセル処理を実行する（ステップＳ２６）。
ここで、短押し処理のキャンセル処理とは、ステップＳ２２で行った短押し処理をアンドゥする処理をいい、上述の短押し処理の例では、記憶部１０４に記憶されている表示状態情報に基づいて、サブＬＣＤ１０１の表示を、短押し処理を行う前の状態、即ち、上述の例では、短押しイベントに含まれる識別情報が示す対象キーの数字等が表示されていない状態に戻すよう、表示制御部１１７に指示する処理である。
【００６８】
この指示を受けた表示制御部１１７は、記憶部１０４の表示状態情報に基づいて、ステップＳ２２で通知された短押しイベントに基づく表示に係る処理を実行する前の画面をサブＬＣＤ１０１に表示させ、表示状態情報を、現在の画面の状態を示すように更新する。
続いて、イベント通知部１１４は、対象キーの識別情報を含む長押しイベントをアプリケーション実行部１２０に通知し、アプリケーション実行部１２０は、この長押しイベントに基づいて、対象キーに割り当てられている長押し処理を実行し（ステップＳ２７）、対象キーの対応処理を終了する。
【００６９】
ここで、長押し処理とは、例えば、長押しイベントに含まれる識別情報が示す対象キーに予め割り当てられている電話番号に自動的に発呼するよう、制御部１１０の発呼処理部１１５に指示すると共に、その電話番号をサブＬＣＤ１０１に表示させるよう、制御部１１０の表示制御部１１７に指示する処理である。
この指示を受けた発呼処理部１１５は、対象キーに対応する電話番号を記憶部１０４のアドレス帳１０から取得し、その電話番号に発呼し、表示制御部１１７は、その電話番号をサブＬＣＤ１０１に表示させ、記憶部１０４の表示状態情報を更新する。なお、記憶部１０４のアドレス帳１０に、対象キーに対応する電話番号が登録されていない場合には、発呼処理部１１５は特に何もせず、表示制御部１１７は、対象キーに対応する電話番号が登録されていない旨を表示してもよいし、特に何も表示をしないようにしてもよい。
【００７０】
また、ステップＳ２５で、長押し時間を経過していない場合には（ステップＳ２５：ＮＯ）、ステップＳ２３から再び処理を開始し、ステップＳ２３において、多重押し検出閾値以上であるキーの数が０又は５つ以上である場合（ステップＳ２３：０又は５以上）、何も行わず、対象キーの対応処理を終了する。
多重押し検出閾値以上であるキーの数が５つ以上である場合に、対象キーの対応処理を終了するのは、対象キー決定後に多重押しが生じたため、長押し処理を実行しないようにするためである。
【００７１】
また、多重押し検出閾値以上であるキーの数が０である場合に、対象キーの対応処理を終了するのは、この例では、多重押し検出閾値とリリース検出閾値とを同じ値としており、多重押し検出閾値以上であるキーの数が０である場合には、長押し時間経過前にタッチパッド１０２から接触が離されたことを意味するため、短押し処理が実行されるべきところ、既に、ステップＳ２２で短押し処理を実行しているためである。
【００７２】
また、ステップＳ２３で、多重押し検出閾値以上であるキーの数が１つ〜４つであり（ステップＳ２３：１以上５未満）、いずれかの隣接するキーのキー接触値がリリース検出閾値以下である場合には（ステップＳ２４：ＹＥＳ）、制御部１１０は、何も行わず、対象キーの対応処理を終了する。
いずれかの隣接するキーのキー接触値がリリース検出閾値以下である場合に、対象キーの対応処理を終了するのは、多重押しは生じていなくても、タッチパッド１０２への接触が、ユーザの指等による接触とは考えられないため、長押し処理を実行しないようにするためである。
【００７３】
＜具体例による動作の説明＞
本願において、特に重要な対象キーの対応処理について、具体例を用いて説明する。
図９は、タッチパッド１０２への接触に対する携帯電話機１００の動作例を示す図である。
＜ユーザが指を接触させた場合＞
まず、図９（ａ）に示すように、ユーザが１本の指を９キーに接触させた場合の携帯電話機１００の動作例を、図８のフローチャートに即して説明する。
【００７４】
以下の説明を開始する時点で、サブＬＣＤ１０１の表示は、待受画面（何も表示されていない状態の画面）であり、９キーが対象キーとして決定されているものとし、９キー及び＃キーのキー接触値が、多重押し検出閾値以上であるものとする。また、長押し時間が経過した時点で、ユーザの指は、９キーに接触したままの状態であるものとする。
まず、キー決定部１１３は、計時部１０３に計時を開始させ（図８のステップＳ２１）、表示制御部１１７は、現在の画面状態が「待受画面」であることを示すように、記憶部１０４の表示状態情報を更新する。
【００７５】
以下では、現在の画面が待受画面であることを「ＳＥＴ  ＩＭＡＧＥ＝待受画面」と表すこととする。
アプリケーション実行部１２０は、イベント通知部１１４から通知された短押しイベントに基づいて、対象キーに割り当てられている短押し処理を実行する（ステップＳ２２）。
【００７６】
この結果、表示制御部１１７は、対象キーである９キーに対応する数字「９」をサブＬＣＤ１０１に表示し（図９においては図示していない）、記憶部１０４の表示状態情報を、待受画面に「９」が表示された状態を示すように更新する。
以下では、「９」が表示されたことを「ＤＲＡＷ（"９"）」と表すものとし、この例では、表示状態情報は、上述の「ＳＥＴ  ＩＭＡＧＥ＝待受画面」に続いて、「ＤＲＡＷ（"９"）」が記録された状態になる。
【００７７】
続いて、キー決定部１１３は、多重押し検出閾値以上であるキーの数がいくつあるかを判定し（ステップＳ２３）、この例では、多重押し検出閾値以上であるキー（９キー及び＃キー）の数は２つであり（ステップＳ２３：１以上５未満）、これらのキーそれぞれと隣接するキーは存在しないので（ステップＳ２４：ＮＯ）、キー決定部１１３は、長押し時間を経過したか否かを判定する（ステップＳ２５）。
【００７８】
この例では、長押し時間を経過するまで、ステップＳ２３〜Ｓ２５の処理を繰り返し、ステップＳ２５で長押し時間を経過すると（ステップＳ２５：ＹＥＳ）、アプリケーション実行部１２０は、イベント通知部１１４から通知されたキャンセルイベントに基づいて、
対象キーに割り当てられている短押し処理のキャンセル処理を実行する（ステップＳ２６）。
【００７９】
この結果、表示制御部１１７は、「ＳＥＴ  ＩＭＡＧＥ＝待受画面」に続いて、「ＤＲＡＷ（"９"）」が記録されている記憶部１０４の表示状態情報の「ＳＥＴ  ＩＭＡＧＥ＝待受画面」に基づいて、サブＬＣＤ１０１を待受画面（つまり、何も表示していない画面）を表示し（図９においては図示していない）、表示状態情報から「ＤＲＡＷ（"９"）」を削除する。
【００８０】
続いて、アプリケーション実行部１２０は、イベント通知部１１４から通知された長押しイベントに基づいて、対象キーに割り当てられている長押し処理を実行し（ステップＳ２７）、対象キーの対応処理を終了する。
この結果、発呼処理部１１５は、対象キーである９キーに対応する電話番号（１２３○×・・・・・・）を記憶部１０４のアドレス帳１０から取得し、その電話番号に発呼すると共に、表示制御部１１７は、図９（ｂ）に示すように、文字列「ｃａｌｌｉｎｇ」からなる発呼画面に電話番号「１２３○×・・・・・・」を描画した画面をサブＬＣＤ１０１へ表示し、記憶部１０４の表示状態情報を、発呼画面に「１２３○×・・・・・・」が表示された状態を示すように更新する。
【００８１】
上述の例では、表示状態情報は、「ＳＥＴ  ＩＭＡＧＥ＝待受画面」に続いて、「ＳＥＴ  ＩＭＡＧＥ＝発呼画面」と「ＤＲＡＷ（"１２３○×・・・・・・"）」とが順に記録された状態になる。
＜鞄の中の他の物が接触してしまった場合＞
次に、図９（ｃ）に示すように、鞄の中にあるペンとノートとがタッチパッド１０２に接触してしまった場合の携帯電話機１００の動作例を図８のフローチャートに即して説明する。
【００８２】
以下の説明を開始する時点で、鞄の中にあるペンの接触により、９キーが対象キーとして決定されているものとし、長押し時間を経過する前に、ノートが、図９（ｃ）に示すように、１キー、２キー、４キー、５キー、７キー、８キー、＊キー、０キー等に接触し、これらキーのキー接触値が、多重押し検出閾値以上であるものとして説明する。
キー決定部１１３は、計時部１０３に計時を開始させ（図８のステップＳ２１）、表示制御部１１７は、現在の画面状態が「待受画面」であることを示すように、記憶部１０４の表示状態情報を更新する。
【００８３】
イベント通知部１１４は、対象キーの識別情報を含む短押しイベントをアプリケーション実行部１２０に通知し、アプリケーション実行部１２０は、この短押しイベントに基づいて、対象キーに割り当てられている短押し処理を実行する（ステップＳ２２）。
この結果、表示制御部１１７は、図９（ｄ）に示すように、対象キーである９キーに対応する数字「９」をサブＬＣＤ１０１に表示し、記憶部１０４の表示状態情報を、待受画面に「９」が表示された状態を示すように更新する。
【００８４】
続いて、キー決定部１１３は、この例では、図９（ａ）の例で説明したのと同様に、ステップＳ２３〜ステップＳ２５の処理を繰り返し、ノートがタッチパッド１０２に接触して、キー（１キー、２キー、４キー、５キー、７キー、８キー、＊キー、０キー等）のキー接触値が多重押し検出閾値以上になると、多重押し検出閾値以上のキーの数は５以上なので（ステップＳ２３：０又は５以上）、対象キーの対応処理を終了する。
【００８５】
このように、携帯電話機１００は、長押し時間が経過する前に、多重押しが検出された場合には、対象キーに割り当てられた長押し処理（この例では、９キーに割り当てられた電話番号への発呼処理）を実行しないので、ユーザが意図しない相手に発呼してしまう可能性を低減できる。
なお、ここでは、特に図示して説明しないが、長押し時間が経過する前に、多重押し検出閾値以上である２つのキーそれぞれと隣接する、キー接触値がリリース検出閾値以下であるキーが存在した場合（ステップＳ２４：ＹＥＳ）も、同様に、対象キーに割り当てられた長押し処理を実行しないので、ユーザが意図しない相手に発呼してしまう可能性を低減できる。
【００８６】
≪変形例１≫
以下、図８を用いて説明した対象キーの対応処理を若干変更した変形例１に係る携帯電話機について説明する。
変形例１に係る携帯電話機（以下、「第１変形携帯電話機」ともいう）は、実施の形態１に係る携帯電話機１００のキー決定部１１３の機能を若干変更したものである。従って、ここでは、変更部分を中心に説明する。
【００８７】
＜動作＞
第１変形携帯電話機の動作について、図１０を用いて説明する。
図１０は、第１変形携帯電話機における対象キーの対応処理を示すフローチャートである。
同図に示す第１変形携帯電話機における対象キーの対応処理は、図８に示す携帯電話機１００における対象キーの対応処理におけるステップＳ２２の短押し処理の位置が変更されている点と、ステップＳ２６のキャンセル処理が存在しない点とが、携帯電話機１００の対象キーの対応処理とは異なる。
【００８８】
即ち、第１変形携帯電話機のキー決定部（以下、「第１変形キー決定部」ともいう）は、図８のステップＳ２１と同様に、計時部１０３に計時を開始させると（ステップＳ３１）、短押し処理を行うことなく、図８のステップＳ２３と同様に、多重押し検出閾値以上であるキーの数がいくつあるかの判定処理を行う（ステップＳ３３）。
該当のキーの数が０又は５つ以上である場合には（ステップＳ３３：０又は５以上）、図８のステップＳ２２と同様に、イベント通知部１１４は、対象キーの識別情報を含む短押しイベントをアプリケーション実行部１２０に通知し、アプリケーション実行部１２０は、この短押しイベントに基づいて、対象キーに割り当てられている短押し処理を実行し（ステップＳ３２）、対象キーの対応処理を終了する。
【００８９】
なお、イベント通知部１１４が短押しイベントを通知する際に、表示制御部１１７は、記憶部１０４の表示状態情報を更新する必要はない。第１変形携帯電話機は、キャンセル処理を実行しないためである。
ステップＳ３３で、該当のキーの数が１つ〜４つである場合には（ステップＳ３３：１以上５未満）、第１変形キー決定部は、図８のステップＳ２４と同様に、該当のキーに含まれる２つのキーの各組合せについて、その組合せに係る２つのキーそれぞれと隣接するキーのキー接触値がリリース検出閾値以下であるかの判定を行う（ステップＳ３４）。
【００９０】
いずれかの隣接するキーのキー接触値がリリース検出閾値以下である場合には（ステップＳ３４：ＹＥＳ）、上述したように、アプリケーション実行部１２０は、イベント通知部１１４から通知された短押しイベントに基づいて短押し処理を実行し（ステップＳ３２）、対象キーの対応処理を終了する。
ステップＳ３４で、いずれの隣接するキーのキー接触値もリリース検出閾値より大きい場合には（ステップＳ３４：ＮＯ）、第１変形キー決定部は、図８のステップＳ２５と同様に、長押し時間を経過したかを判定する（ステップＳ３５）。
【００９１】
長押し時間を経過していない場合には（ステップＳ３５：ＮＯ）、再びステップＳ３３から処理を開始し、長押し時間を経過した場合には（ステップＳ３５：ＹＥＳ）、キャンセル処理を実行することなく、図８のステップＳ２７と同様に、イベント通知部１１４は、対象キーの識別情報を含む長押しイベントをアプリケーション実行部１２０に通知し、アプリケーション実行部１２０は、この長押しイベントに基づいて、対象キーに割り当てられている長押し処理を実行し（ステップＳ３７）、対象キーの対応処理を終了する。
【００９２】
≪変形例２≫
以下では、長押し時間経過後、対象キーからの接触が離されるまでに生じた多重押し等を検出して、発呼処理が実行されてしまう可能性を低減するように変形した変形例２に係る携帯電話機について説明する。
変形例２に係る携帯電話機（以下、「第２変形携帯電話機」ともいう）は、実施の形態１に係る携帯電話機１００のキー決定部１１３の機能を若干変更したものである。従って、ここでは、変更部分を中心に説明する。
【００９３】
＜動作＞
第２変形携帯電話機の動作について、図１１を用いて説明する。
図１１は、第２変形携帯電話機における対象キーの対応処理を示すフローチャートである。
同図に示す第２変形携帯電話機における対象キーの対応処理は、図８に示す携帯電話機１００における対象キーの対応処理にステップＳ５０〜Ｓ５２が追加されている点が、携帯電話機１００の対象キーの対応処理とは異なる。
【００９４】
即ち、第２変形携帯電話機のキー決定部（以下、「第２変形キー決定部」ともいう）は、図８のステップＳ２１と同様に、計時部１０３に計時を開始させると（ステップＳ４１）、図８のステップＳ２２と同様に、イベント通知部１１４は、対象キーの識別情報を含む短押しイベントをアプリケーション実行部１２０に通知し、アプリケーション実行部１２０は、この短押しイベントに基づいて、対象キーに割り当てられている短押し処理を実行する（ステップＳ４２）。なお、イベント通知部１１４が短押しイベントを通知する際に、表示制御部１１７は、現在の画面状態を示すように、記憶部１０４の表示状態情報を更新する。
【００９５】
続いて、第２変形キー決定部は、図８のステップＳ２３と同様に、多重押し検出閾値以上であるキーの数がいくつあるかの判定処理を行い（ステップＳ４３）、該当のキーの数が０又は５つ以上である場合には（ステップＳ４３：０又は５以上）、特に何も行うことなく、対象キーの対応処理を終了する。
ステップＳ４３で、該当のキーの数が１つ〜４つである場合には（ステップＳ４３：１以上５未満）、第２変形キー決定部は、図８のステップＳ２４と同様に、該当のキーに含まれる２つのキーの各組合せについて、その組合せに係る２つのキーそれぞれと隣接するキーのキー接触値がリリース検出閾値以下であるかの判定を行う（ステップＳ４４）。
【００９６】
いずれかの隣接するキーのキー接触値がリリース検出閾値以下である場合には（ステップＳ４４：ＹＥＳ）、特に何も行うことなく、対象キーの対応処理を終了し、いずれの隣接するキーのキー接触値もリリース検出閾値より大きい場合には（ステップＳ４４：ＮＯ）、第２変形キー決定部は、図８のステップＳ２５と同様に、長押し時間を経過したかを判定する（ステップＳ４５）。
【００９７】
長押し時間を経過していない場合には（ステップＳ４５：ＮＯ）、再びステップＳ４３から処理を開始し、長押し時間を経過した場合には（ステップＳ４５：ＹＥＳ）、第２変形キー決定部は、対象キーについてのキー接触値がリリース検出閾値以下であるか否かを判定する（ステップＳ５０）。これは、長押し時間の経過後に対象キーからの接触が離されたか否かを判定するものである。
【００９８】
ステップＳ５０で、対象キーについてのキー接触値がリリース検出閾値より大きい場合には（ステップＳ５０：ＮＯ）、上述のステップＳ４３と同様に、第２変形キー決定部は、多重押し検出閾値以上であるキーの数がいくつあるかの判定処理（ステップＳ５１）を行う。
該当のキーの数が５つ以上である場合には（ステップＳ５１：５以上）、特に何も行うことなく、対象キーの対応処理を終了し、該当のキーの数が１つ〜４つである場合には（ステップＳ５１：１以上５未満）、第２変形キー決定部は、上述のステップＳ４４と同様に、該当のキーに含まれる２つのキーの各組合せについて、その組合せに係る２つのキーそれぞれと隣接するキーのキー接触値がリリース検出閾値以下であるかの判定を行う（ステップＳ５２）。
【００９９】
ステップＳ５１及びＳ５２の処理を行うのは、長押し時間経過後、対象キーから接触が離されるまでの間に、多重押し、又はキー接触値が多重押し検出閾値以上である２つのキーそれぞれと隣接するキーのキー接触値がリリース検出閾値以下であるようないわば異常な接触が生じた場合に、長押し処理を実行しないようにするためである。
ステップＳ５２で、いずれかの隣接するキーのキー接触値がリリース検出閾値以下である場合には（ステップＳ５２：ＹＥＳ）、特に何も行うことなく、対象キーの対応処理を終了し、いずれの隣接するキーのキー接触値もリリース検出閾値より大きい場合には（ステップＳ５２：ＮＯ）、再びステップＳ５０から処理を開始する。
【０１００】
ステップＳ５０で、対象キーについてのキー接触値がリリース検出閾値以下である場合には（ステップＳ５０：ＹＥＳ）、図８のステップＳ２６と同様に、イベント通知部１１４は、対象キーの識別情報を含むキャンセルイベントをアプリケーション実行部１２０に通知し、アプリケーション実行部１２０は、このキャンセルイベントに基づいて、対象キーに割り当てられている短押し処理のキャンセル処理を実行する（ステップＳ４６）。
【０１０１】
続いて、図８のステップＳ２７と同様に、イベント通知部１１４は、対象キーの識別情報を含む長押しイベントをアプリケーション実行部１２０に通知し、アプリケーション実行部１２０は、この長押しイベントに基づいて、対象キーに割り当てられている長押し処理を実行し（ステップＳ４７）、対象キーの対応処理を終了する。
≪変形例３≫
以下では、図７のステップＳ３及び図８のステップＳ２４で説明した、キー接触値が多重押し検出閾値以上である２つのキーそれぞれと隣接するキーのキー接触値がリリース検出閾値以下であることを検出する方法とは異なる方法で、ユーザの指等による通常の操作以外のタッチパッド１０２への接触を検出し、発呼処理が実行されてしまう可能性を低減する例を説明する。
【０１０２】
変形例３に係る携帯電話機（以下、「第３変形携帯電話機」ともいう）は、実施の形態１に係る携帯電話機１００のキー決定部１１３の機能を若干変更したものである。従って、ここでは、変更部分を中心に説明する。
＜動作＞
＜制御処理＞
第３変形携帯電話機の動作について、図１２を用いて説明する。
【０１０３】
図１２は、タッチパッド１０２からの入力に対する第３変形携帯電話機の制御処理を示すフローチャートである。
同図に示す第３変形携帯電話機の制御処理は、図７に示す携帯電話機１００における制御処理のステップＳ３の処理がない点と、ステップＳ７３及びＳ７４の処理が追加されている点とが、携帯電話機１００の制御処理と異なる。
【０１０４】
第３変形携帯電話機のキー決定部（以下、「第３変形キー決定部」ともいう）は、図７のステップＳ１と同様に、算出部１１１が算出した最新の各キー接触値に基づいて、多重押し検出閾値以上であるキーの数がいくつあるかの判定を行い（ステップＳ６１）、特に、該当のキーの数が１つ〜４つである場合には（ステップＳ６１：１以上５未満）、図７のステップＳ４と同様に、ステップＳ１で検出した多重押し検出閾値以上であるキーの中に、キー接触値がキー押し検出閾値以上であるキーが存在するか否かを判定する（ステップＳ６４）。
【０１０５】
キー押し検出閾値以上であるキーが存在する場合には（ステップＳ６４：ＹＥＳ）、第３変形キー決定部は、図７のステップＳ５と同様に、対象キーが決定済か否かを判定し（ステップＳ６５）、対象キーが決定済でない場合には（ステップＳ５：ＮＯ）、第３変形キー決定部は、図７のステップＳ６と同様に、キー接触値が最大であるキーを対象キーと決定する（ステップＳ６６）。
【０１０６】
第３変形キー決定部は、対象キーに隣接するキー、及び対象キーの２つ下のキーを除く各キー（以下、「特定キー」という）のキー接触値が多重押し検出閾値以上であるか否かを判定する（ステップＳ７３）。例えば、対象キーが５キーの場合、１キー〜４キー、６キー〜９キー、及び０キー以外のキーが特定キーである。また、対象キーが、４キーの場合、１キー、２キー、５キー、７キー、８キー、＊キー以外のキーが特定キーである。
【０１０７】
特定キーのキー接触値が多重押し検出閾値以上である場合には（ステップＳ７３：ＹＥＳ）、第３変形キー決定部は、ステップＳ７０の処理に進む。これは、ユーザが指等でキーを操作した際に、同時に４つのキーまでは接触し得るとの前提の下では、ユーザが指等でキーを操作した場合に、対象キー及び特定キーに接触することはないためである。また、対象キーの２つ下のキーを特定キーに含めないのは、ユーザが指等でキーを操作した場合でも、対象キーの２つ下のキーに、例えば、指の腹が接触してしまうことがあり得るためである。
【０１０８】
特定キーのキー接触値が多重押し検出閾値未満である場合には（ステップＳ７３：ＮＯ）、第３変形キー決定部は、図７のステップＳ７〜Ｓ９で説明したのと同様に、対象キーのキー接触値から、対象キーの上のキーのキー接触値を引いた値が、既定値（５０）以下であるか否かを判定し（ステップＳ６７）、その判定結果に応じて対象キーの変更処理を行い（ステップＳ６８）、切替部１１２は非調整状態への切替処理を実行し（ステップＳ６９）、ステップＳ６１から再び処理を開始する。
【０１０９】
上記同様に、ステップＳ６１、Ｓ６４、Ｓ６５の処理を行い、対象キーが決定済である場合（ステップＳ６５：ＹＥＳ）には、第３変形キー決定部は、上述のステップＳ７３と同様に、特定キーのキー接触値が多重押し検出閾値以上であるか否かを判定する（ステップＳ７４）。
再度、ステップＳ７４で特定キーのキー接触値が多重押し検出閾値以上であるか否かを判定するのは、特定キーへの接触の開始が対象キーへの接触の開始より遅れて行われる場合があるためである。
【０１１０】
特定キーのキー接触値が多重押し検出閾値以上である場合には（ステップＳ７４：ＹＥＳ）、特に何も行わずステップＳ７０の処理へ進み、特定キーのキー接触値が多重押し検出閾値未満である場合には（ステップＳ７４：ＮＯ）、対象キーの対応処理を実行する（ステップＳ８０）。この対象キーの対応処理については後述する（図１３参照）。
この対象キーの対応処理が完了すると、第３変形キー決定部は、図７のステップＳ１０〜Ｓ１２と同様に、算出部１１１が算出した最新の各キー接触値に基づいて、リリース検出閾値以上であるキーの数がいくつあるかを判定し（ステップＳ７０）、該当のキーの数が０である場合には（ステップＳ７０：０）、対象キーの決定を解除し（ステップＳ７１）、切替部１１２は、切替処理を行い（ステップＳ７２）、制御処理を終了する。
【０１１１】
＜対象キーの対応処理＞
続いて、ステップＳ８０の対象キーの対応処理について説明する。
図１３は、第３変形携帯電話機における対象キーの対応処理（図１２のステップＳ８０）を示すフローチャートである。
同図に示す第３変形携帯電話機の対象キーの対象処理は、図８に示す携帯電話機１００における対象キーの対応処理のステップＳ２４の処理に替えて、ステップＳ８４の処理を含む点が、携帯電話機１００の対象キーの対応処理と異なる。
【０１１２】
即ち、図８のステップＳ２１〜Ｓ２３と同様に、第３変形キー決定部は、計時部１０３に計時を開始させ（ステップＳ８１）、アプリケーション実行部１２０は、イベント通知部１１４から通知された短押しイベントに基づいて、対象キーに割り当てられている短押し処理を実行し（ステップＳ８２）、第３変形キー決定部は、多重押し検出閾値以上であるキーの数がいくつあるかの判定を行う（ステップＳ８３）。
【０１１３】
ステップＳ８３において、特に、該当のキーの数が１つ〜４つである場合には（ステップＳ８３：１以上５未満）、第３変形キー決定部は、上述のステップＳ７３やＳ７４と同様に、特定キーのキー接触値が多重押し検出閾値以上であるか否かを判定する（ステップＳ８４）。
ステップＳ８４で、特定キーのキー接触値が多重押し検出閾値以上である場合には（ステップＳ８４：ＹＥＳ）、特に何も行わず、対象キーの対象処理を終了し、特定キーのキー接触値が多重押し検出閾値未満である場合には（ステップＳ８４：ＮＯ）、図８のステップＳ２５と同様に、第３変形キー決定部は、長押し時間を経過したか否かを判定する（ステップＳ８５）。
【０１１４】
ステップＳ８５で、特に、長押し時間を経過した場合には（ステップＳ８５：ＹＥＳ）、図８のステップＳ２６、Ｓ２７と同様に、アプリケーション実行部１２０は、イベント通知部１１４から通知されたキャンセルイベントに基づいて、キャンセル処理を実行し（ステップＳ８６）、イベント通知部１１４から通知された長押しイベントに基づいて、対象キーに割り当てられている長押し処理を実行し（ステップＳ２７）、対象キーの対応処理を終了する。
【０１１５】
≪補足≫
以上、本発明に係る携帯通信端末を、実施の形態１、変形例１〜３（以下、単に「実施の形態」ともいう）に基づいて説明したが、以下のように変形することも可能であり、本発明は上述した実施の形態で示した通りの携帯電話機に限られないことは勿論である。
（１）実施の形態に係る携帯電話機は、横開きタイプの折りたたみ式の携帯電話機であるものとして説明したが、タッチパッドを有する携帯電話機であれば、縦開きタイプの折りたたみ式の携帯電話機や、ストレートタイプやスライド式等、他の外観を有する携帯電話機であってもよい。
【０１１６】
（２）実施の形態に係る携帯電話機は、図３に示すように、サブＬＣＤ１０１とタッチパッド１０２とが別個に存在しているものとして説明したが、サブＬＣＤ１０１とタッチパッド１０２とを組み合わせた、いわゆるタッチパネルを含むものであってもよい。
また、操作用の部分と、操作された文字等を表示する部分とを１つのタッチパネルで実現するだけでなく、例えば、数字や文字等を入力する部分は、タッチパネルとし、入力された文字等が表示される部分は、ＬＣＤや有機ＥＬ（Organic Electro-Luminescence）等で構成されるとしてもよい。
【０１１７】
また、タッチパネルは、使用する表示機器として、画像等を表示するＬＣＤで文字等を表示する場合に限定されるものではなく、照明部とこの照明部の上に配置され、文字や図柄の形をした透過部とを有するシートとの組合せ等を用いることもできる。この場合、ユーザは、例えばシート上の所定の文字の形の透過部の位置を押下することにより、タッチパッドの静電容量を変化させ、当該シート上の所定の文字の入力を行う。
【０１１８】
（３）実施の形態に係るタッチパッド１０２は、静電容量方式のタッチセンサにより実現するものとして説明したが、この静電容量方式のタッチセンサとして、多数の電極パターンをプラスチックやガラス等の基板上に形成し、接触点の近傍の複数の電極パターンによる電流量の比率を計測することで判別する投影型や、導電膜と基板とを有して構成され、基板の隅に電極を設け、導電膜による均一な電界を形成し、指等の接触による隅の端子の電流量の比率を計測して接触位置を判別する表面型等、適宜なものを用いることができる。上述の（２）のタッチパネルにおいても同様に適宜なものを用いることができる。
【０１１９】
また、実施の形態の説明では、タッチパッド１０２は、静電容量方式のタッチセンサにより実現するとしているが、本発明では、このような場合に限定するものではなく、タッチパッド１０２として、電子ペン等の専用のペンを用いる電磁誘導方式や、２層構造の透明電極からなるマトリクススイッチ方式や、２枚の抵抗膜の１枚に電圧を印加し、他方の抵抗膜において操作した位置に応じた電圧を検知する抵抗膜方式や、振動波の跳ね返りを圧電素子の電圧変化によって検出し、指等の接触を検知する表面弾性波方式や、遮光された赤外線により指等が接触した位置を検出する赤外線方式や、画面に光センサを組み込んで接触位置を検知する光センサ方式等であってもよい。
【０１２０】
（４）実施の形態において、ＧＮＤを「５１２」、リリース検出閾値及び多重押し検出閾値を「５８０」、キー押し検出閾値を「６３２」として説明したが、これらの値は一例であり、以下のように決定することが望ましい。
即ち、キー接触値は、上述したように、タッチパッド１０２から出力される静電容量を表すための値に基づいて算出されるため、ユーザの指等がキーに接触していない状態においてタッチパッド１０２から出力される静電容量を表すための値を予め測定しておき、その値に基づいてＧＮＤを決定することが望ましい。
【０１２１】
また、タッチパッド１０２から出力される静電容量を表すための値は、通話やカメラ撮影等を行う各機能部の動作により生じるタッチパッドに対するノイズによって、実際には、ユーザの指等が接触していないにもかかわらず変動することがある。従って、上述の通話やカメラ撮影等の動作時において、タッチパッド１０２から出力される静電容量を表すための値がどの程度増加するかを予め測定しておき、その値に基づいてリリース検出閾値及び多重押し検出閾値を決定することが望ましい。
【０１２２】
また、ユーザの指等により接触されたキーのキー接触値は変動することになるが、一般的に、このキーと隣接する実際には接触されていないキーのキー接触値も変動することになる。従って、実施の形態の例では、リリース検出閾値及び多重押し検出閾値（５８０）とキー押し検出閾値（６３２）との差を「５２」としているが、予めユーザの指等により接触されたキーと隣接する実際には接触されていないキーのタッチパッド１０２から出力される静電容量を表すための値がどの程度増加するのかを予め測定しておき、その値に基づいて、２つの閾値の差を決定し、リリース検出閾値及び多重押し検出閾値を決定することが望ましい。
【０１２３】
なお、実施の形態では、リリース検出閾値と多重押し検出閾値とを同じ値（５８０）としているが、これらの値は互いに同じ値である必要は無く、異なった値であってもよい。
（５）実施の形態においては、ユーザの指等で操作した場合に、同時に４つまでのキーに接触し得るとの前提の下、接触されているキーの数が５つ以上であった場合に、多重押しと判定するものとして説明したが、これは一例であり、２つ以上の既定数のキーが接触された場合に多重押しと判断するようにしてもよい。なお、ユーザの指等で操作した場合に同時に接触し得るキーの数は、ユーザの指の大きさ等により多少のばらつきがあると考えられる。従って、例えば、実施の形態に係る携帯電話機の運用開始時において、実際にユーザにキー操作を行わせ、いくつのキーが同時に接触されたかをカウントし、その数以上のキーが接触された場合に、多重押しと判断するようにしてもよい。また、ユーザが多重押しと判断すべきキーの数を設定できるようにしてもよい。
【０１２４】
（６）図７のステップＳ２では、タッチパッド１０２からの接触が離された後、全てのキーのキー接触値がキー押し検出閾値未満となって、次の対象キーの決定をなるべく早く行えるようにするべく、算出部１１１の状態を非調整状態に切り替えているが、切り替えないようにしてもよい。
図７のステップＳ２が実行されるときには、鞄の中にある他の物がタッチパッド１０２に接触している等、ユーザの指等による通常の操作が行われている状況ではないと考えられるためである。つまり、このような状況では、次のキー操作に対応する処理をなるべく早く行えるようにする必要性が低いと考えられるためである。
【０１２５】
また、図７のステップＳ２の処理は、算出部１１１の状態が調整状態である場合にのみ行うようにしてもよい。
（７）図７のステップＳ７では、対象キー（キー接触値が最大値であるキー）のキー接触値と、対象キーの上のキーのキー接触値との差分が既定値（この例では５０）以下であるか否かを判定するものとして説明したが、対象キーの上のキーだけなく、対象キーの右及び左のキーのキー接触値との差分が既定値以下であるか否かを判定するようにしてもよい。この場合、対象キーのキー接触値と、対象キーの上、右、及び左のキーのキー接触値との差分をそれぞれ算出し、算出したいずれかの差分が既定値以下である場合には、差分が最も小さくなったキーに対象キーを決定するようにしてもよい。
【０１２６】
また、対象キーのキー接触値との差分を算出するキーを、対象キーの右、及び左のキーのいずかのキーにしてもよく、更に、対象キーのキー接触値との差分を算出するキーを、対象キーの上、右、及び左のキーのいずれにするかを、ユーザが設定できるようにしてもよい。
（８）また、図７のステップＳ７では、対象キー（キー接触値が最大値であるキー）のキー接触値と、対象キーの上のキーのキー接触値との差分が既定値（５０）以下であるか否かを判定するものとして説明したが、例えば、対象キーの上のキーのキー接触値がキー押し検出閾値より大きい既定値以上であるか否かを判定するようにしてもよい。上述の（７）で説明したように、対象キーのキー接触値との差分を算出するキーを、対象キーの右のキー、及び（又は）左のキーとした場合においても、同様の変形が可能である。
【０１２７】
上述のキー押し検出閾値より大きい既定値は、例えば、実際にユーザに複数回の操作を行わせた結果に基づいて決定することが望ましい。
（９）図８のステップＳ２６、図１１のステップＳ４６、図１３のステップＳ８６に示すキャンセル処理を実行しないように変形してもよい。即ち、短押し処理のアンドゥ処理を行わないで、長押し処理（図８のステップＳ２７、図１１のステップＳ４７、図１３のステップＳ８７）を実行するようにしてもよい。
【０１２８】
（１０）実施の形態では、図５に示すように、キーと電話番号との対応付けを、アドレス帳１０において行うものとして説明したが、キーと電話番号との対応付けを行う対応付けテーブルを用いて行うようにしてもよい。
この場合、例えば、ユーザが既定の操作を行うと、携帯電話機は、対応付けテーブルへの登録機能を実行し、ユーザが電話番号を指定する操作、即ち、アドレス帳１０から電話番号を選択する操作、あるいは電話番号を直接入力する操作を行い、更に、指定した電話番号を対応付けるキーを指定する操作を行うことで、対応付けテーブルへの登録が行われるようにしてもよい。
【０１２９】
（１１）変形例２に係る携帯電話機（第２変形携帯電話機）に、変形例１で説明した、キャンセル処理を実行しないようにする更なる変形を適用してもよい。
即ち、図１１のステップＳ４２の短押し処理の実行を、ステップＳ４３又はＳ５１で多重押し検出閾値以上のキーの数が０又は５つ以上の場合（ステップＳ４３：０又は５以上、又はステップＳ５１：０又は５以上）、ステップＳ４４又はＳ５２で、いずれかの隣接するキーのキー接触値がリリース検出閾値以下である場合（ステップＳ４４：ＹＥＳ、又はステップＳ５２：ＹＥＳ）に実行するように変形し、ステップＳ４６のキャンセル処理を実行しないようにしてもよい。
【０１３０】
このように変形した場合、変形例１で説明したように、表示制御部１１７は記憶部１０４の表示状態情報を更新する必要がない。
同様に、変形例３に係る携帯電話機（第３変形携帯電話機）に、変形例１で説明したキャンセル処理を事項しないようにする更なる変形を適用してもよい。
即ち、図１３のステップＳ８２の短押し処理の実行を、ステップＳ８３で多重押し検出閾値以上のキーの数が０又は５つ以上の場合（ステップＳ８３：０又は５以上）、ステップＳ８４で、いずれかの隣接するキーのキー接触値がリリース検出閾値以下である場合（ステップＳ８４：ＹＥＳ）に実行するように変形し、ステップＳ８６のキャンセル処理を実行しないようにしてもよい。
【０１３１】
（１２）変形例１及び２に係る携帯電話機（第１変形携帯電話機及び第２変形携帯電話機）に、変形例３で説明した、ユーザの指等による通常の操作以外のタッチパッド１０２への接触を検出する方法を適用してもよい。
（１３）また、実施の形態で説明した長押し処理実行（図８のステップＳ２７等）において実行される処理は、発呼処理に限定されるものではなく、その他の処理であってもよい。このような処理の一例として、例えば、暗証番号の入力画面を表示する処理や、録音処理や、アラーム設定処理や、マナーモードのオン又はオフの処理や、スピーカホンのオン又はオフの処理や、電源オン又はオフの処理や、カメラ起動の処理や、特定のアプリケーションの起動の処理や、動画の撮影の起動の処理や、新規メールの作成画面の起動の処理等、その他適宜な処理の１つ又は任意の複数の組み合わせであってもよい。
【０１３２】
（１４）実施の形態において、タッチパッド１０２は、接触位置の座標値（ｘ，ｙ）と、静電容量を表すための値との組を制御部１１０へ送出し、算出部１１１がこの組に基づいて、接触されているキー毎にキー接触値を算出するものとして説明したが、以下のように変形することも可能である。
即ち、この変形に係るタッチパッド（以下、「変形タッチパッド」という）が、キー毎に、接触面積の増減に応じて０〜１０２４の範囲で増減する値を出力するようにし、この変形に係る算出部（以下、「変形算出部」という）が自己の状態（非調整状態と調整状態）に応じて、キー接触値を算出するようにしてもよい。
【０１３３】
より詳細には、この変形タッチパッドを実現するための静電容量のタッチセンサＩＣ（Integrated Circuit）の２０個のポートは、タッチパッド上の各キーに一対一に割り当てられている。変形算出部は、各ポートを介して、キー毎の接触面積の増減に応じて０〜１０２４の範囲で増減する値を入力される。なお、ＩＣのポート数は上記のように２０個に限定されるものではなく、適宜変更することができる。
【０１３４】
（１５）実施の形態において説明した各構成要素のうち、全部又は一部を１チップ又は複数チップの集積回路で実現してもよいし、コンピュータのプログラムで実現してもよいし、その他どのような形態で実現してもよい。
（１６）実施の形態において説明したタッチパッド１０２からの入力に対する処理（図７、図８、図１０〜図１３参照）をＣＰＵに実行させるためのプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施の形態で示した各携帯電話機の各機能が実現される。
【０１３５】
（１７）本発明に係る携帯通信端末の実施の形態は、接触が検出されると、当該接触の度合いを示す値を出力するタッチパッドと、前記タッチパッドから出力された接触の度合いを表す値に基づいて、実行すべき処理が割り当てられた範囲として、１つの選択範囲を選択する選択部と、前記選択部による選択が行われてから、前記選択範囲への接触が当該選択から一定時間継続したことを要件として含む所定条件が成立するまでに、前記タッチパッド上で接触されている範囲の数が既定数以上になったことを検出する第１検出部と、前記第１検出部による検出がなされなかった場合には、前記選択部が選択した前記選択範囲に対応する所定の処理を実行し、前記第１検出部による検出がなされた場合には、前記所定の処理を実行しない実行制御部とを備えることを特徴とする。
【０１３６】
上記構成を備える本発明に係る携帯通信端末の実施の形態によれば、選択部により、実行すべき処理が割り当てられた範囲として選択範囲が選択された場合でも、選択範囲への接触がその選択から一定時間経過したことを要件として含む所定条件が成立するまでに、タッチパッド上で接触されている範囲の数が既定数以上なったことが検出された場合には、選択範囲に対応する所定の処理がなされない。
【０１３７】
例えば、ユーザの１本の指で、通常、同時に接触すると想定できる範囲の数より大きい値を上記既定数と定めた場合において、この既定数以上の範囲の接触が検出されたときには、ユーザの指以外がタッチパッドに接触したと推定できる。選択範囲の選択後に、このようなユーザの指以外の接触が生じたと推定できるケースでは、選択範囲への接触も、ユーザの指以外の接触である可能性が高いものと考えられる。
【０１３８】
従って、例えば、ユーザの１本の指で同時に接触すると想定できる範囲の数より大きい値を上記既定数と定めた場合において、本発明に係る携帯通信端末の実施の形態は、選択範囲の選択から一定時間経過するまでの間に、ユーザの指等以外によるものと推定されるタッチパッドへの接触を検出することで、ユーザの指等以外がタッチパッドに接触したことにより、選択範囲に対応する所定の処理が実行されてしまう可能性を低減できる。
【０１３９】
（１８）また、前記実行制御部は、前記第１検出部による検出がなされた場合には、前記選択部が選択した前記選択範囲に対応する表示処理を実行することとしてもよい。
これにより、本発明に係る携帯通信端末の実施の形態は、選択部により、実行すべき処理が割り当てられた範囲として選択範囲が選択された場合でも、その選択から上記所定条件が成立するまでに、タッチパッド上で接触されている範囲の数が既定数以上になったことが検出された場合には、選択範囲に対応する所定の処理を行わず、選択範囲に対応する表示処理を行う。
【０１４０】
つまり、例えば、ユーザの１本の指で同時に接触すると想定できる範囲の数より大きい値を上記既定数と定めた場合において、本発明に係る携帯通信端末の実施の形態のユーザは、選択範囲の選択から所定条件が成立するまでの間に、タッチパッドへのユーザの指以外の接触があったことを知ることができる。
（１９）また、前記携帯通信端末は、更に実行すべき処理が割り当てられている範囲を決定するための第１閾値と、第１閾値より小さい第２閾値とを保持する保持部を備え、前記選択部は、前記タッチパッドから出力された接触の度合いを示す値に基づいて、当該タッチパッド上で接触が検出された範囲毎に、当該範囲の接触の度合いを示す値を算出し、当該タッチパッド上で接触が検出された範囲の中から、算出した値が、第１閾値以上である範囲を、前記選択範囲として選択し、前記第１検出部は、前記タッチパッド上で接触が検出された範囲のうち、前記選択部により算出された値が第２閾値以上である範囲の数が、既定数以上になった場合にのみ、前記検出を行うこととしてもよい。
【０１４１】
これにより、本発明に係る携帯通信端末の実施の形態は、選択部による選択範囲の選択が行われた場合でも、その選択から上記所定条件が成立するまでに、選択部により算出した値が、第１閾値より小さい第２閾値以上である範囲が既定数以上になったことが検出された場合には、選択範囲に対応する所定の処理を行わない。
従って、例えば、ユーザの１本の指で同時に接触すると想定できる範囲の数より大きい値を上記既定数と定めた場合において、本発明に係る携帯通信端末の実施の形態は、選択範囲の選択から一定時間経過するまでの間に、選択範囲と同程度の接触の度合いである既定数以上の範囲を検出した場合のみならず、選択範囲よりも接触の度合いが低い、既定数以上の範囲の接触を検出することで、ユーザの指以外がタッチパッドに接触したことにより、選択範囲に対応する所定の処理が実行されてしまう可能性を低減できる。
【０１４２】
（２０）また、前記携帯通信端末は、更に、前記選択部による選択が行われてから、前記所定条件が成立するまでに、前記タッチパッド上で接触が検出された範囲のうち、前記選択部により算出された値が第２閾値以上である、相互に隣接しない２つの範囲が存在したことを検出する第２検出部を備え、前記実行制御部は、前記第２検出部による検出がなされなかった場合にのみ、前記選択範囲に対応する前記所定の処理を実行することとしてもよい。
【０１４３】
これにより、本発明に係る携帯通信端末の実施の形態は、選択部による選択範囲の選択が行われた場合でも、その選択から上記所定条件が成立するまでに、選択部により算出された値が第２閾値以上である、相互に隣接しない２つの範囲が存在した場合には、所定の処理を行わない。
例えば、ユーザの１本の指で、通常、相互に隣接しない２つの範囲に同時に接触しないように、各範囲の大きさ及び位置を定めた場合において、選択部により算出された値が第２閾値以上である、相互に隣接しない２つの範囲が存在したときには、ユーザの指以外がタッチパッドに接触したと推定できる。選択範囲の選択後に、このようなユーザの指以外の接触が生じたと推定できるケースでは、選択範囲への接触も、ユーザの指以外の接触である可能性が高いものと考えられる。
【０１４４】
従って、例えば、ユーザの１本の指で、通常、相互に隣接しない２つの範囲に同時に接触しないように、各範囲の大きさ及び位置を定めた場合において、本発明に係る携帯通信端末の実施の形態は、選択範囲の選択から一定時間経過するまでの間に、ユーザの指等以外によるものと推定されるタッチパッドへの接触を検出することで、ユーザの指等以外がタッチパッドに接触したことにより、選択範囲に対応する所定の処理が実行されてしまう可能性を低減できる。
【０１４５】
（２１）また、前記所定条件は、前記選択範囲への接触が離されたことを要件として含むこととしてもよい。
これにより、本発明に係る携帯通信端末の実施の形態は、選択範囲の選択から一定時間を経過した後から、選択範囲の接触が離されるまでの間に、タッチパッド上で接触されている範囲の数が既定数以上になったこと、又は、選択部により算出された値が第２閾値以上である、相互に隣接しない２つの範囲が存在したことが検出された場合にも、所定の処理を行わない。
【０１４６】
上述のように、ユーザの１本の指で、通常、同時に接触すると想定できる範囲の数より大きい値を上記既定数と定めた場合において、この既定数以上の範囲の接触が検出されたとき、及びユーザの１本の指で、通常、相互に隣接しない２つの範囲に同時に接触しないように、各範囲の大きさ及び位置を定めた場合において、選択部により算出された値が第２閾値以上である、相互に隣接しない２つの範囲が存在したときには、ユーザの指以外がタッチパッドに接触したと推定できる。また、選択範囲の選択から一定時間を経過した後から、選択範囲の接触が離されるまでの間に、このようなユーザの指以外の接触が生じたと推定できるケースでは、選択範囲への接触も、ユーザの指以外の接触である可能性が高いものと考えられる。
【０１４７】
従って、例えば、ユーザの１本の指で同時に接触すると想定できる範囲の数より大きい値を上記既定数と定め、ユーザの１本の指で、通常、相互に隣接しない２つの範囲に同時に接触しないように、各範囲の大きさ及び位置を定めた場合において、本発明に係る携帯通信端末の実施の形態は、選択範囲の選択から一定時間を経過した後から、選択範囲の接触が離されるまでの間に、ユーザの指等以外によるものと推定されるタッチパッドへの接触を検出することで、ユーザの指等以外がタッチパッドに接触したことにより、選択範囲に対応する所定の処理が実行されてしまう可能性を低減できる。
【０１４８】
（２２）また、前記所定の処理は、発呼処理であることとしてもよい。
これにより、本発明に係る携帯通信端末の実施の形態は、例えば、ユーザの１本の指で同時に接触すると想定できる範囲の数より大きい値を上記既定数と定めた場合において、選択範囲の選択から一定時間経過するまでの間に、ユーザの指等以外によるものと推定されるタッチパッドへの接触を検出することで、ユーザの指等以外がタッチパッドに接触したことにより、選択範囲に対応する発呼処理が実行されてしまう可能性を低減できる。
【０１４９】
（２３）本発明に係るタッチパッドは、実施の形態に係るタッチパッド１０２に相当し、本発明に係る選択部、第１検出部、保持部、及び第２検出部は、実施の形態に係る算出部１１１及びキー決定部に相当し、本発明に係る実行制御部は、実施の形態に係るイベント通知部１１４及びアプリケーション実行部１２０に相当する。
【産業上の利用可能性】
【０１５０】
本発明に係る携帯通信端末は、ユーザが、タッチパッドを用いた操作を行う場合に利用される。
【符号の説明】
【０１５１】
１、２    筐体
３    入力キー
４    ＬＣＤ
１００    携帯電話機
１０１    サブＬＣＤ
１０２    タッチパッド
１０３    計時部
１０４    記憶部
１０５    スピーカ
１０６    マイク
１０７    バイブレータ
１０８    通信部
１１０    制御部
１１１    算出部
１１２    切替部
１１３    キー決定部
１１４    イベント通知部
１１５    発呼処理部
１１６    音声処理部
１１７    表示制御部
１２０    アプリケーション実行部
【図１】
2011107785.tif 000003
【図２】
2011107785.tif 000004
【図３】
2011107785.tif 000005
【図４】
2011107785.tif 000006
【図５】
2011107785.tif 000007
【図６】
2011107785.tif 000008
【図７】
2011107785.tif 000009
【図８】
2011107785.tif 000010
【図９】
2011107785.tif 000011
【図１０】
2011107785.tif 000012
【図１１】
2011107785.tif 000013
【図１２】
2011107785.tif 000014
【図１３】
2011107785.tif 000015